(57)【要約】      （修正有）【課題】支柱の上に構造物を固定するための基礎及びその施工方法であって、施工が容易で、かつ、丈夫な構造の基礎及び施工方法を提供する。【解決手段】基礎１は、構造物を上部に取り付けるための支柱部２と、支柱部２を下部で支えるための土台部と、土台部を地面に固定するための４本の杭３とを備える。土台部は、杭３と連結する杭連結部４と、支柱部２を回動可能に取り付けるための回動支持部５と、立脚させた支柱部２が転倒しないように、杭連結部４に固定されるリブ部６及び連結部７とを含む。杭３のフランジ部３ｃと杭連結部４とには、位置調整が可能な穴がそれぞれに設けられている。支柱部２を倒した状態で、支柱部２の上部に構造物を取り付け、支柱部２を立ち上げた後、リブ部６及び連結部７を取り付けて、支柱部２が転倒するのを防止する。【選択図】図１
2020026721.tif 000002
【特許請求の範囲】
【請求項１】
構造物の基礎であって、
前記構造物を上部に取り付けるための支柱部と、
前記支柱部を下部で支えるための土台部と、
前記土台部を地面に固定するための一以上の杭とを備え、
前記土台部は、
前記杭と連結する杭連結部と、
前記支柱部を回動可能に取り付けるための回動支持部と、
立脚させた前記支柱部が転倒しないように、前記土台部に固定される転倒防止部とを含むことを特徴とする、基礎。
【請求項２】
前記杭は、複数であり、
前記杭連結部は、複数の前記杭と連結可能な一枚の板状部材であり、
前記回動支持部は、前記杭連結部と一体化されているか、若しくは、前記杭連結部に取り付けけられる部材であることを特徴とする、請求項１に記載の基礎。
【請求項３】
前記杭は、複数であり、
前記杭連結部は、複数の前記杭と連結可能な複数の板状部材であり、
前記回動支持部は、各前記杭連結部を取り付けるための板状部材を有し、かつ、前記支柱部の下部を回動可能に支持する構造を有することを特徴とする、請求項１に記載の基礎。
【請求項４】
前記杭の上部のフランジ部に設けられた第１の穴と、前記杭連結部に設けられた第２の穴とを用いて、前記杭と前記杭連結部とを連結することができ、
前記第１の穴及び／又は前記第２の穴は、前記フランジ部に対する前記杭連結部の取付位置を調整することができる形状を有することを特徴とする、請求項１〜３のいずれかに記載の基礎。
【請求項５】
前記第１の穴は、円周状に配置された複数の長穴であり、
前記第２の穴は、放射線状に配置された複数の長穴であることを特徴とする、請求項４に記載の基礎。
【請求項６】
前記第１の穴は、放射線状に配置された複数の長穴であり、
前記第２の穴は、円周状に配置された複数の長穴であることを特徴とする、請求項４に記載の基礎。
【請求項７】
前記第１の穴は、放射線状に配置された複数の長穴であり、
前記第２の穴は、前記第１の穴と少なくとも一部が対向するように配置された複数の長穴であることを特徴とする、請求項４に記載の基礎。
【請求項８】
前記杭連結部の板状部材に設けられた第３の穴と前記回動支持部の板状部材に設けられた第４の穴とは、少なくともどちらか一方が、前記回動支持部の取付位置を調整することができる形状を有することを特徴とする、請求項３に記載の基礎。
【請求項９】
前記転倒防止部は、下部が前記土台部に固定され、上部で前記支柱部に当接して、前記支柱部が倒れる力を支える構造であることを特徴とする、請求項１〜８のいずれかに記載の基礎。
【請求項１０】
前記転倒防止部は、
前記土台部に固定される複数のリブ部と、
前記リブ部を連結する複数の連結部とを含むこととを特徴とする、請求項９に記載の基礎。
【請求項１１】
前記転倒防止部は、前記土台部に固定される複数のリブ部を含み、
前記リブ部は、上部に、フランジ部又は湾曲部を有することを特徴とする、請求項９に記載の基礎。
【請求項１２】
構造物を架設するための基礎構造であって、
前記構造物を支えるための第１及び第２の基礎を具備し、
前記第１及び第２の基礎は、
前記構造物を上部に取り付けるための支柱部と、
前記支柱部を下部で支えるための土台部と、
前記土台部を地面に固定するための一以上の杭とを備え、
前記土台部は、
前記杭と連結する杭連結部と、
前記支柱部を回動可能に取り付けるための回動支持部と、
立脚させた前記支柱部が転倒しないように、前記土台部に固定される転倒防止部とを含み、
前記第１及び第２の基礎の前記支柱部によって、前記構造物を架設することを特徴とする、基礎構造。
【請求項１３】
構造物を二以上の支柱部に架設するための施工方法であって、
前記構造物の基礎として、前記構造物を上部に取り付けるための支柱部と、前記支柱部を下部で支えるための土台部と、前記土台部を地面に固定するための一以上の杭とを備える第１及び第２の基礎を用い、
前記杭を地中に設置する工程と、
前記第１及び第２の基礎の前記土台部を前記杭に連結する工程と、
前記支柱部を倒した状態で、前記土台部に対して、前記支柱部を回動可能に取り付ける工程と、
前記第１及び第２の基礎の前記支柱部の上部に前記構造物を取り付ける工程と、
前記構造物が取り付けられた前記第１及び第２の基礎の前記支柱部を立ち上げる工程と、
立ち上がった前記支柱部が転倒しないように、前記土台部に転倒防止部を固定する工程とを有することを特徴とする、施工方法。
【発明の詳細な説明】
【技術分野】
【０００１】
本発明は、構造物の基礎及び構造物の施工方法に関し、より特定的には、支柱を立脚させて、支柱の上に構造物を架設するための基礎及びその施工方法に関する。
【背景技術】
【０００２】
再生可能エネルギーが注目される中、太陽電池パネルを農地や牧草地、空き地などに容易に設置するための発明が期待されている。
【０００３】
特許文献１には、メイン水平耐荷重性チューブ（１０）に、複数の第２のチューブ（１１）を取り付け、第２のチューブ（１１）に太陽パネル（１２）を取り付けて、メイン水平耐荷重性チューブ（１０）及び第２のチューブ（１１）を回動できるように構成することで、太陽パネル（１２）の向きを調整して、効率的に、太陽エネルギーを捕集することができる太陽エネルギー捕集システムが開示されている。メイン水平耐荷重性チューブ（１０）は、地面に対して垂直に配置されたポスト（１３）の間に、配置されている。なお、括弧内の符号は、特許文献１における参照符号である。
【０００４】
施工時、一本のスクリュー杭（１６）の上に、穴の開いたプレート（６）を取り付け、プレート（６）の穴に、ピン（７）を挿通することで、ポスト（１３）をその基端部分で回動可能となるように、地面に固定する。そして、二本のポスト（１３）の上端に、メイン水平耐荷重性チューブ（１０）、第２のチューブ（１１）、及び太陽パネル（１２）を取り付けておき、二本のポスト（１３）を、ピン（７）を中心に回転させて、二本のポスト（１３）を起き上がらせる。これによって、メイン水平耐荷重性チューブ（１０）、第２のチューブ（１１）、及び太陽パネル（１２）が同時に起き上がることとなるが、起き上がった後、二本のケーブル（５５，５６）を地面に固定して、ポスト（１３）の垂直の姿勢に維持する。
【先行技術文献】
【特許文献】
【０００５】
【特許文献１】特表２０１２−５２０５６０号公報
【特許文献２】特公平４−１５３３４号公報
【特許文献３】特開平４−３４３９８４号公報
【特許文献４】特開２０１４−８４６０３号公報
【特許文献５】特開２０１３−１３６９１３号公報
【特許文献６】特開２００４−１４３８６７号公報
【特許文献７】特開２００３−３３６２５７号公報
【特許文献８】登録実用新案第３１４０１５９号公報
【発明の概要】
【発明が解決しようとする課題】
【０００６】
特許文献１では、ポスト（１３）の垂直を維持するために、二本のケーブル（５５，５６）を用いているに過ぎない。そのため、強風や積雪、地震などの影響によって、ポスト（１３）の垂直が維持できないこともあり、使用する地域によっては、特許文献１に開示されている基礎構造を用いることができない場合がある。特に、日本のように、強風や積雪、地震が多い国では、特許文献１に記載の基礎構造では、不十分な基礎となる可能性がある。
【０００７】
また、特許文献１では、一本のスクリュー杭（１６）を用いて、プレート（６）を地面に固定しているが、一本のスクリュー杭（１６）によって、上の構造物を支持するための支持力を発揮させるためには、スクリュー杭（１６）を長くする必要がある。スクリュー杭（１６）を長くした場合、施工場所によっては、岩盤まで、スクリュー杭（１６）が到達してしまい、それ以上、スクリュー杭（１６）を打ち込むことが出来ない場合がある。
【０００８】
上記のような課題が存在するが、スクリュー杭を用いた特許文献２ないし８に記載された基礎構造では、支柱を回動して、起き上がらせることができず、特許文献２ないし８に記載された基礎構造は、そのまま用いることができない。
【０００９】
なお、支柱を回動させることができないような特許文献２ないし８に記載された基礎構造を用いると、支柱の長さによっては、高所作業車が必要となる。高所作業車を用いた施工は、その分、施工コストの増大につながる。また、施工場所によっては、高所作業車を用いることができない場合もある。
【００１０】
それゆえ、本発明は、支柱の上に構造物を固定するための基礎及びその施工方法であって、施工が容易で、かつ、丈夫な構造の基礎及び施工方法を提供することを目的とする。
【課題を解決するための手段】
【００１１】
上記課題を解決するために、本発明は、以下のような特徴を有する。本発明は、構造物の基礎であって、構造物を上部に取り付けるための支柱部と、支柱部を下部で支えるための土台部と、土台部を地面に固定するための一以上の杭とを備える。土台部は、杭と連結する杭連結部と、支柱部を回動可能に取り付けるための回動支持部と、立脚させた支柱部が転倒しないように、土台部に固定される転倒防止部とを含む。
【００１２】
好ましくは、杭は、複数である。杭連結部は、複数の杭と連結可能な一枚の板状部材である。回動支持部は、杭連結部と一体化されているか、若しくは、杭連結部に取り付けけられる部材である。
【００１３】
好ましくは、杭は、複数である。杭連結部は、複数の杭と連結可能な複数の板状部材である。回動支持部は、各杭連結部を取り付けるための板状部材を有し、かつ、支柱部の下部を回動可能に支持する構造を有する。
【００１４】
好ましくは、杭の上部のフランジ部に設けられた第１の穴と、杭連結部に設けられた第２の穴とを用いて、杭と杭連結部とを連結することができる。第１の穴及び／又は第２の穴は、フランジ部に対する杭連結部の取付位置を調整することができる形状を有する。
【００１５】
一実施形態として、第１の穴は、円周状に配置された複数の長穴である。第２の穴は、放射線状に配置された複数の長穴である。
【００１６】
一実施形態として、第１の穴は、放射線状に配置された複数の長穴である。第２の穴は、円周状に配置された複数の長穴である。
【００１７】
一実施形態として、第１の穴は、放射線状に配置された複数の長穴である。第２の穴は、第１の穴と少なくとも一部が対向するように配置された複数の長穴である。
【００１８】
一実施形態として、杭連結部の板状部材に設けられた第３の穴と回動支持部の板状部材に設けられた第４の穴とは、少なくともどちらか一方が、回動支持部の取付位置を調整することができる形状を有する。
【００１９】
好ましくは、転倒防止部は、下部が土台部に固定され、上部で支柱部に当接して、支柱部が倒れる力を支える構造である。
【００２０】
一実施形態として、転倒防止部は、土台部に固定される複数のリブ部と、リブ部を連結する複数の連結部とを含む。
【００２１】
一実施形態として、転倒防止部は、土台部に固定される複数のリブ部を含む。リブ部は、上部に、フランジ部又は湾曲部を有する。
【００２２】
また、本発明は、構造物を架設するための基礎構造であって、構造物を支えるための第１及び第２の基礎を具備する。第１及び第２の基礎は、構造物を上部に取り付けるための支柱部と、支柱部を下部で支えるための土台部と、土台部を地面に固定するための一以上の杭とを備える。土台部は、杭と連結する杭連結部と、支柱部を回動可能に取り付けるための回動支持部と、立脚させた支柱部が転倒しないように、土台部に固定される転倒防止部とを含み、第１及び第２の基礎の支柱部によって、構造物を架設する。
【００２３】
また、本発明は、構造物を二以上の支柱部に架設するための施工方法であって、構造物の基礎として、構造物を上部に取り付けるための支柱部と、支柱部を下部で支えるための土台部と、土台部を地面に固定するための一以上の杭とを備える第１及び第２の基礎を用い、杭を地中に設置する工程と、第１及び第２の基礎の土台部を杭に連結する工程と、支柱部を倒した状態で、土台部に対して、支柱部を回動可能に取り付ける工程と、第１及び第２の基礎の支柱部の上部に構造物を取り付ける工程と、構造物が取り付けられた第１及び第２の基礎の支柱部を立ち上げる工程と、立ち上がった支柱部が転倒しないように、土台部に転倒防止部を固定する工程とを有する。
【発明の効果】
【００２４】
本発明によれば、回動支持部を用いて、支柱部を、倒れた状態から、立脚させることができる。したがって、支柱部に構造物を取り付けた状態で、構造物を立ち上げることができるので、高所作業車による作業が不要となり、施工が容易となる。そして、転倒防止部を用いて、支柱部を、転倒しないようにすることができるので、従来のように、ワイヤで支柱部を引っ張って支柱部を支持する形態に比べて、丈夫に構造物を設置することが可能となる。
【００２５】
杭を複数用いることで、１本毎の杭の長さを短くしたとしても、保持力を高めることができるので、岩盤に杭が当たって、それ以上杭を打設したりねじ込んだりできなくなるという事態を回避することが可能となる。
【００２６】
杭を複数の用いる場合の形態として、一枚の板状部材による杭連結部と複数の杭とを連結する形態を採用することで、杭連結部を地面に頑丈に固定することが可能となり、結果、丈夫な基礎となる。
【００２７】
また、杭を複数の用いる場合の形態として、複数の板状部材による杭連結部と複数の杭とを連結する形態を採用し、複数の杭連結部に回動支持部を取り付けることで、杭連結部と回動支持部との位置決めが容易となる。また、杭連結部及び回動支持部を地面に頑丈に固定することが可能となり、結果、丈夫な基礎となる。
【００２８】
第１及び第２の穴を、適宜、フランジ部に対する杭連結部の取付位置を調整できるようにしておくことで、杭の打設又はねじ込み位置が多少ずれたとしても、杭に対して、土台部を取り付けることが可能となる。そのため、杭の打設又はねじ込み精度を下げることができるため、施工が容易となる。
【００２９】
第１の穴を円周状に配置された複数の長穴とし、第２の穴を放射線状に配置された複数の長穴とすることで、フランジ部に対する杭連結部の取付位置を調整できるようになる。
【００３０】
第１の穴を放射線状に配置された複数の長穴とし、第２の穴を円周状に配置された複数の長穴とすることで、フランジ部に対する杭連結部の取付位置を調整できるようになる。
【００３１】
第１の穴を放射線状に配置された複数の長穴とし、第２の穴を第１の穴と少なくとも一部が対向するように配置された複数の長穴することで、フランジ部に対する杭連結部の取付位置を調整できるようになる。
【００３２】
杭連結部の板状部材に設けられた第３の穴と回動支持部の板状部材に設けられた第４の穴とを、少なくともどちらか一方が、回動支持部の取付位置を調整することができる形状にしておくことで、回動支持部の位置決めが容易となり、施工が容易となる。
【００３３】
転倒防止部において、下部が土台部に固定され、上部で支柱部に当接することで、支柱部が倒れる力を支える構造とすれば、簡易な構造で、支柱部を支えることが可能となる。
【００３４】
転倒防止部において、土台部に固定される複数のリブ部と、リブ部を連結する複数の連結部とを有するようにすれば、支柱部を丈夫に支えることが可能となる。
【００３５】
転倒防止部において、土台部に固定される複数のリブ部の上部に、フランジ部又は湾曲部を有するようにすれば、支柱部を丈夫に支えることが可能となる。
【００３６】
本発明の基礎構造よって、構造物を容易かつ丈夫に架設することが可能となる。
【００３７】
本発明の施工方法を用いれば、構造物を容易かつ丈夫に架設することが可能となる。
【００３８】
本発明のこれら、及び他の目的、特徴、局面、効果は、添付図面と照合して、以下の詳細な説明から一層明らかになるであろう。
【図面の簡単な説明】
【００３９】
【図１】図１は、本発明の第１の実施形態における基礎１に、支柱部２を取り付けたときの様子を示す斜視図である。
【図２】図２は、図１のＶ方向を正面としたときの正面図である。
【図３】図３は、図２の平面図である。
【図４】図４は、図２の底面図である。
【図５】図５は、基礎１と支柱部２との連結部分を示す拡大分解斜視図である。
【図６】図６は、回動支持部５に支柱部２を取り付けたときの様子を示す図である。
【図７】図７は、支柱部２を立ち上げて、リブ部６及び連結部７を架設したときの様子を示す図である。
【図８】図８は、杭３のフランジ部３ｃの平面図である。
【図９】図９は、杭連結部４の穴４ａの周辺部分の平面図である。
【図１０】図１０は、フランジ部３ｃと杭連結部４とが連結される位置の一例を示す図である。
【図１１】図１１は、本発明の第２の実施形態における基礎１０に、支柱部２を取り付けたときの様子を示す斜視図である。
【図１２】図１２は、図１１のＶ方向を正面としたときの正面図である。
【図１３】図１３は、図１２の平面図である。
【図１４】図１４は、図１２の底面図である。
【図１５】図１５は、基礎１０と支柱部２との連結部分を示す拡大分解斜視図である。
【図１６】図１６は、杭３のフランジ部３ｃの平面図である。
【図１７】図１７は、杭連結部４の平面図である。
【図１８】図１８は、回動支持部５の穴５ｃ（第４の穴）及び穴５ｄの周辺部分の平面図である。
【図１９】図１９は、フランジ部３ｃ、杭連結部４、及び回動支持部５が連結される位置の一例を示す図である。
【図２０】図２０は、杭３のフランジ部３ｃに設けられた穴３ｄの変形例を示す図である。
【図２１】図２１は、第１又は第２の杭連結部４に設けられた穴４ａの変形例を示す図である。
【図２２】図２２は、図２０のフランジ部３ｃと図２１の杭連結部４とを連結したときの様子を示す図である。
【図２３】図２３は、支柱部２の転倒防止部の変形例の一例である。
【図２４】図２４は、支柱部２の転倒防止部の変形例の一例である。
【発明を実施するための形態】
【００４０】
（第１の実施形態）
図１は、本発明の第１の実施形態における基礎１に、支柱部２を取り付けたときの様子を示す斜視図である。図２は、図１のＶ方向を正面としたときの正面図である。図３は、図２の平面図である。図４は、図２の底面図である。図５は、基礎１と支柱部２との連結部分を示す拡大分解斜視図である。以下、図１ないし図５を参照しながら、基礎１の構造について、説明する。なお、各図において、同じ機能を有していることが明らかな箇所については、図面を視認し易くするため、適宜、代表的な部分にのみ参照符号を付している（以下同様）。
【００４１】
基礎１は、４本の杭３と、杭連結部４と、回動支持部５と、４つのリブ部６と、４つの連結部７と、ピン８とを備える。杭連結部４、回動支持部５、４つのリブ部６、及び４つの連結部７は、支柱部２を下部で支えるための土台部となる。
【００４２】
支柱部２は、上部の構造物固定部２ａと、下部の回動部２ｂとを備える。構造物固定部２ａに、支柱部２の上に固定したい構造物を取り付ける。回動部２ｂは、離間した二枚の板状部材で挟まれた構造を有しており、杭連結部４上に取り付けられた回転支持部５の支持板５ａに対して、支柱部２を回動可能に取り付けるためにピン８を通すことができる穴２ｃを有している。
【００４３】
杭３は、回転しながら、胴部３ｂの先端側の螺旋部３ａが地中にねじ込まれるスクリュー杭である。杭３は、基端側にフランジ部３ｃを有している。フランジ部３ｃには、複数の穴３ｄ（第１の穴）が穿孔されている。なお、穴３ｄの配置位置については、後ほど詳述する。杭３に土台部が連結されることで、基礎１が地面に固定される。
【００４４】
杭連結部４は、一枚の板部材であり、四隅に、杭３の穴３ｄに対応する複数の穴４ａ（第１の穴）を有している。穴３ｄと穴４ａとが、ボルト及びナットなどの締結手段によって連結されることで、杭連結部４と杭３との連結が可能となっている。なお、穴３ｄの配置位置については、後ほど詳述する。
【００４５】
回動支持部５は、板状部材５ｂと、板状部材５ｂから垂直に立ち上がった支持板５ａとを有する。回動支持部５は、杭連結部４と連結される。ここでは、回動支持部５と杭連結部４とには、対抗する穴を設けておいて、当該穴に、ボルト及びナットなどの締結手段を挿入して、両者を連結することとしているが、回動支持部５と杭連結部４とは、予め一体化されていてもよい。支持板５ａには、回動部２ｂに設けられた穴２ｃに対応する穴が設けられている。
【００４６】
リブ部６は、下端が板状部６ａとなっており、板状部６ａから斜め上に立脚した支持部６ｂを有する。板状部６ａには、穴６ｃが設けられている。杭連結部４には、穴６ｃに対応する穴が設けられている。２つの穴をボルト及びナットなどの締結手段によって、連結する。また、リブ部６を杭連結部４に固定するために、杭連結部４からは、アンカーボルトが立ち上がっているようにして、アンカーボルトを穴６ｃに通して、ナットで固定するようにしてもよい。または、杭連結部４にナットが固定されており、板状部６ａの穴６ｃの上から、ボルトで締結するようにしてもよい。
【００４７】
連結部７は、円弧状部材７ａと、円弧状部材７ａの両端に設けられた板状部７ｂとによって、構成されている。板状部７ｂと、連結用リブ部６の支持部６ｂとが、ボルト及びナットなどの締結手段によって連結される。
【００４８】
リブ部６及び連結部７は、立脚させた支柱部２が転倒しないように、土台部に固定される転倒防止部として機能する。
【００４９】
図６及び図７は、基礎１の施工工程を説明するための図である。図６は、回動支持部５に支柱部２を取り付けたときの様子を示す図である。図７は、支柱部２を立ち上げて、リブ部６及び連結部７を架設したときの様子を示す図である。図６及び図７において、支柱部２の構造物固定部２に取り付けるための構造物９を破線による想像線で表現している。構造物９の構造については、一切限定されない。２つの基礎１（第１の基礎及び第２の基礎）によって、構造物９が架設される基礎構造が実現されている。
【００５０】
以下、図１、図５、図６、及び、図７を参照しながら、基礎１によって構造物９を支柱部２に固定してから空中に架設するまでの施工工程について説明する。
【００５１】
まず、地中に、杭３をねじ込む。杭３がねじ込まれた後、杭３のフランジ部３ｃの上に、杭連結部４を載せて、穴３ｄと穴４ａとを利用して、フランジ部３ｃと杭連結部４とを連結する。それに先立ち、杭連結部４と回動支持部５とは、連結されているとよい。
【００５２】
杭３の上に、杭連結部４及び回動支持部５が取り付けられた状態で、回動支持部５の支持板５ａに対して、支柱部２の回動部２ｂが挿入され、支持板５ａと回動部２ｂとの穴に、ピン８が挿入される。ピン８は、抜けないように、図示しないナットやリング、抜け防止ピンなどで、抜け止めされている。
【００５３】
上記の工程を、必要な基礎１の数だけ実施する。この時点で、図６に示すように、支柱部２は、地面に対して倒れた状態となっており、構造物固定部２ａに、構造物９が取り付けられる。図６では、２個の基礎１のそれぞれに回動可能に取り付けられた支柱部２を用いて、各構造物固定部２ａに構造物９が取り付けられている様子を示しているが、１個の基礎１だけが用いられてもよいし、３個以上の基礎１が用いられてもよい。
【００５４】
次に、倒れた状態の支柱部２を立ち上げる。支柱部２を立ち上げた後、リブ部６を杭連結部４に固定する。最後に、連結部７を、２つのリブ部６の間に取り付けて、支柱部２が倒れていかないようにする。このようにして、図７に示すように、構造物９が、支柱部２の上に、持ち上がった状態で、立脚した支柱部２に固定されたこととなる。
【００５５】
なお、適宜、支柱部２は、ワイヤなどで引っ張って、倒れていかないように、補強してもよいことは言うまでもない。
【００５６】
図８は、杭３のフランジ部３ｃの平面図である。図８によって、フランジ部３ｃに開けられた穴３ｄの配置を説明する。図８に示すように、穴３ｄは、円形状のフランジ部３ｃの中心から、円周状に配置された複数の長穴である。
【００５７】
図９は、杭連結部４の穴４ａの周辺部分の平面図である。図９によって、杭連結部４の穴４ａの配置を説明する。図９に示すように、穴４ａは、フランジ部３ｃの中心に対応する箇所を中心に、放射線状に延びるように配置された複数の長穴である。
【００５８】
図１０は、フランジ部３ｃと杭連結部４とが連結される位置の一例を示す図である。図１０（ａ）は、ずれ無くフランジ部３ｃと杭連結部４とが連結された様子を示し、図１０（ｂ）は、フランジ部３ｃと杭連結部４とがずれて連結された様子を示す。
【００５９】
杭３は、地中にねじ込むことで、地面に固定されるため、フランジ部３ｃを、精度良く配置するのは、困難である。そのため、フランジ部３ｃの位置が多少ずれてしまう可能性がある。
【００６０】
ところが、図８及び図９に示すように、ある中心から円弧状に形成された長穴と同じ中心から放射線状に形成された長穴とを用いた場合、図１０（ａ）に示すずれのない位置から、多少ずれたとしても、図１０（ｂ）に示すように、両方の穴を対向させて、フランジ部３ｃと杭連結部４とを連結することが可能となる。
【００６１】
なお、ここでは、フランジ部３ｃ側を円弧状の長穴とし、杭連結部４側を放射線状の長穴としたが、逆に、フランジ部３ｃ側を放射線状の長穴とし、杭連結部４側を円弧状の長穴としても、ずれが生じたとしても、両方の穴を対向させて、フランジ部３ｃと杭連結部４とを連結することが可能となる。
【００６２】
すなわち、フランジ部３ｃ側の穴３ｄ（第１の穴）と杭連結部４側の穴４ａ（第２の穴）は、フランジ部３ｃに対する杭連結部４の取付位置を調整することができる形状であり、余裕を持った大きさの形状を有する穴であればよい。
【００６３】
このように、杭３が理想の位置からずれてねじ込まれたとしても、フランジ部３ｃと杭連結部４とにサイズ調整された穴を形成しておけば、両者を連結することが可能となる。なお、穴の形状については、ずれが生じたとしても、両者を連結することができるものであれば、上述のような長穴に限られない。その他の第１及び第２の穴の例については、第２の実施形態以降においても適宜例示することとする。
【００６４】
以上のように、第１の実施形態では、杭３と杭連結部４とを連結し、杭連結部４に支柱部２を回動可能に支持することができる回動支持部５を設けるようにしている。これにより、支柱部２を倒した状態で、支柱部２に構造物９を取り付けて、取り付け後、支柱部２を立ち上げることが可能となる。そして、支柱部２を立ち上げた後、リブ部６及び連結部７による転倒防止部を用いて、支柱部２が倒れてこないように、支えるようにすれば、高所作業車などを使用することなく、支柱部２の上に、構造物９を設置することが可能となる。
【００６５】
（第２の実施形態）
図１１は、本発明の第２の実施形態における基礎１０に、支柱部２を取り付けたときの様子を示す斜視図である。図１２は、図１１のＶ方向を正面としたときの正面図である。図１３は、図１２の平面図である。図１４は、図１２の底面図である。図１５は、基礎１０と支柱部２との連結部分を示す拡大分解斜視図である。以下、図１１ないし図１５を参照しながら、基礎１０の構造について、説明する。なお、基礎１０において、第１の実施形態の基礎１と同様の機能を有する部分については、同一の参照符号を付し、適宜、説明を省略し、第１の実施形態と異なる箇所を中心に説明する。
【００６６】
基礎１０は、４本の杭３と、４つの杭連結部４と、回動支持部５と、４つのリブ部６と、４つの連結部７と、ピン８とを備える。４つの杭連結部４、回動支持部５、４つのリブ部６、及び４つの連結部７は、支柱部２を下部で支えるための土台部となる。
【００６７】
各杭連結部４は、回動支持部５の外周部分から、外側に飛び出るように、回動支持部５に連結された板状部材である。杭連結部４には、杭３のフランジ部３ｃと連結するための複数の穴４ａ（第２の穴）と、回動支持部５と連結するための複数の穴４ｂ（第３の穴）が開けられている。なお、穴４ａ及び４ｂの配置については、後ほど詳述する。
【００６８】
回動支持部５の板状部材５ｂは、杭連結部４を外周部分で固定するための穴５ｃ（第４の穴）と、リブ部６を固定するための穴５ｄとを有している。第１の実施形態と異なり、穴５ｄを介して、リブ部６が、板状部材５ｂに取り付けられる構造となっている。
【００６９】
図１５を参照しながら、基礎１０によって構造物を支柱部２に固定してから空中に架設するまでの施工工程について説明する。
【００７０】
第１の実施形態と同様に、杭３を地中にねじ込む。そして、フランジ部３ｃに、杭連結部４を取り付ける。
【００７１】
杭連結部４に、回動支持部５を取り付ける。
【００７２】
その後は、第１の実施形態と同様に、支柱部２に構造物を取り付けて、支柱部２を立ち上げ、リブ部６及び連結部７を取り付ける。
【００７３】
図１６は、杭３のフランジ部３ｃの平面図である。図１６によって、フランジ部３ｃに開けられた穴３ｄ（第１の穴）の配置を説明する。図１６に示すように、穴３ｄは、円形状のフランジ部３ｃの中心から放射線状に配置された複数の長穴である。
【００７４】
図１７は、杭連結部４の平面図である。図１７によって、杭連結部４の穴４ａ（第２の穴）及び穴４ｂ（第３の穴）の配置を説明する。図１７に示すように、穴４ａは、円形状のフランジ部３ｃの中心から等間隔かつ等角度に形成された複数の長穴であり、穴３ｄと少なくとも一部が対向するように配置されている。ここでは、中心から、９０度毎に、４つの穴４ａが形成されているとしているが、穴の数や形状等は、特に限定されない。
【００７５】
穴４ｂは、回動支持部５の穴５ｃに連結するための穴であるが、長穴であってもよい。
【００７６】
なお、フランジ部３ｃ側の穴３ｄと杭連結部４側の穴４ａとの形状は、互いに逆の形状になっていてもよく、その場合でも、杭３のずれを吸収できる。
【００７７】
図１８は、回動支持部５の穴５ｃ（第４の穴）及び穴５ｄの周辺部分の平面図である。図１８によって、回動支持部５の穴５ｃ及び５ｄの配置を説明する。図１８に示すように、穴５ｃは、杭連結部４の穴４ｂに対向する穴であるが、杭３のずれを吸収するために、長穴となっている。ただし、穴４ｂ側を長穴にするのであれば、穴５ｃは、長穴でなくてもよい。すなわち、穴４ｂと穴５ｃとは、少なくともどちらか一方が、回動支持部５の取り付け位置を調整することができるように余裕を持った形状であればよい。
【００７８】
穴５ｄは、連結用リブ部６を固定するための穴である。
【００７９】
図１９は、フランジ部３ｃ、杭連結部４、及び回動支持部５が連結される位置の一例を示す図である。図１９（ａ）は、ずれ無くフランジ部３ｃ、杭連結部４、及び回動支持部５が連結された様子を示し、図１９（ｂ）は、ずれ無くフランジ部３ｃ、杭連結部４、及び回動支持部５がずれて連結された様子を示す。
【００８０】
図１９（ｂ）に示すように、杭連結部４に、上下左右の穴４ａを配置することで、杭３が上下左右にずれてねじ込まれたとしても、そのずれを吸収して、フランジ部３ｃに、杭連結部４を取り付けることが可能である。
【００８１】
また、図１９（ｂ）に示すように、図上、杭連結部４がずれたとしても、回動支持部５の穴５ｃを長穴とすることで、そのずれを吸収して、各杭連結部４に、回動支持部５を取り付けることが可能である。
【００８２】
なお、フランジ部３ｃと杭連結部４との穴によって、ずれを吸収できるのであれば、回動支持部５における長穴によるずれ調整は、不要である。
【００８３】
以上のように、第２の実施形態では、各杭３に、別々の杭連結部４をそれぞれ取り付け、杭連結部４に、回動支持部５を取り付けることによっても、支柱部２に構造物を取り付けて、支柱部２を立ち上げて、リブ部６及び連結部７による固定施工が可能となる。複数の杭連結部４に回動支持部５を取り付けることで、杭連結部４と回動支持部５との位置決めが容易となる。
【００８４】
そして、第２の実施形態では、フランジ部３ｃと杭連結部４とに設けられた穴をずれが吸収できるように配置しておくことで、杭３がずれてねじ込まれたとしても、杭連結部４に、回動支持部５を適切に取り付けることが可能となる。好ましくは、回動支持部５及び／又は杭連結部４にも、杭連結部４のずれを吸収できるように長穴を設けておけばよい。
【００８５】
（第１及び第２の穴の変形例）
図２０は、杭３のフランジ部３ｃに設けられた穴３ｄの変形例を示す図である。図２０に示すように、穴３ｄをたとえば４５度間隔で、中心から放射線状に形成してもよい。なお、図２０において、等角度で配置されることは必須ではない。
【００８６】
図２１は、第１又は第２の杭連結部４に設けられた穴４ａの変形例を示す図である。図２１に示すように、穴４ａは、円弧状ではなく、４５度間隔で、中心から等距離に配置された直線状の長穴であってもよい。なお、図２１において、等角度で配置されることは必須ではない。
【００８７】
図２２は、図２０のフランジ部３ｃと図２１の杭連結部４とを連結したときの様子を示す図である。図２０（ａ）は、ずれのない状態での連結を示し、図２０（ｂ）は、ずれた状態での連結を示す。
【００８８】
このように、フランジ部３ｃ側を放射線状の長穴とし、杭連結部４側の穴４ａを、穴３ｄと少なくとも一部が対向するように配置された長穴とすることでも、杭３のずれを吸収して、フランジ部３ｃと杭連結部４とを連結することが可能である。
【００８９】
（リブ部６及び連結部７の変形例）
リブ部６及び連結部７は、支柱部２が倒れないように、杭連結部４又は回動支持部５に支持される構造の部材であれば、上述した例に限られるものではない。すなわち、リブ部６及び連結部７は、支柱部２の転倒防止部であればよく、下部が土台部に固定されていて、上部で、支柱部２に当接して、支柱部２が倒れる力を支える構造であればよい。
【００９０】
このような観点から、転倒防止部の変形例を以下にします。図２３及び図２４は、支柱部２の転倒防止部の変形例の一例である。
【００９１】
図２３に示すように、支柱部２を円筒状ではなく、多角柱状の部材とするならば、リブ部６の上端にフランジ部６ｄを設けて、フランジ部６ｄを多角柱状の支柱に固定して当接させ、リブ部６の下端の板状部６ａを杭連結部４に固定するようにしてもよい。
【００９２】
なお、フランジ部６ｄを、他のリブ部６のフランジ部６ｄに、直接又は部材を挟んで連結するようにして、フランジ部６ｄと支柱部２とは固定せずに当接させるようにしてもよい。
【００９３】
図２４に示すように、円筒状の支柱部２を用いる場合、リブ部６の上端に円弧状の湾曲部材６ｅを設けて、湾曲部材６ｅを円筒状の支柱に固定し、リブ部６の下端の板上部６ａを杭連結部４に固定するようにしてもよい。
【００９４】
なお、湾曲部材６ｅを、他のリブ部６の湾曲部材６ｅに、直接又は部材を挟んで固定するようにして、湾曲部材６ｅと支柱部２とは固定せずに当接させるようにしてもよい。
【００９５】
図２３及び図２４では、第１の実施形態の杭連結部４及び回動支持部５を用いたが、第２の実施形態の回動支持部５に、図２３及び図２４に示した構造を採用してもよいことは、言うまでもない。
【００９６】
なお、リブ部６及び連結部７は、それぞれ１つずつ予め連結したような構造であってもよい。
【００９７】
上記実施形態において、リブ部６及び連結部７は、９０度毎に等間隔に配置しており、それぞれ４つずつ設けられていたが、これに限られるものではない。リブ部６及び連結部７は、支柱部２が倒れてこないように構成されているのであれば、その数や配置間隔の角度などは、限定されない。たとえば、支柱部２が倒れる方向に、リブ部６及び連結部７を多く配置したり、丈夫な構造のリブ部６及び連結部７を配置したりするなどしてもよい。
【００９８】
（その他の変形例）
以下、その他の変形例について列記する。
適宜、各部材を溶接によって固定してもよいことは、言うまでもない。
【００９９】
上記実施形態では、杭３を４本用いることしたが、少なくとも１本の杭３が用いられればよく、２，３本の杭を用いるだけでなく、５本以上の杭が用いられてもよい。その場合、用いる杭の本数に合わせて、杭連結部４や回動支持部５の形状を適宜変更したり、杭連結部４の穴の配置を適宜変更すればよい。
【０１００】
設置する構造物によっては、螺旋部３ａを有しない杭であっても、構造上、堪えうることが出来る場合がある。そのような場合は、螺旋部３ａを有さないフランジ付きの杭を用いるようにしてもよい。よって、本発明では、スパイラル杭を用いることには、限定されない。
【０１０１】
上記実施形態では、杭連結部４と回転支持部５とを別部材としたが、既に述べたとおり、杭連結部４に、直接垂直に立ち上がった支持板５ａを一体的に設けることとして、杭連結部４に支柱部２の回動部２ｂを回動可能に支持する構造を設けてもよい。
【０１０２】
上記実施形態において、ボルト等の締結手段で固定すると記載した点については、適宜、リベットや溶接などの周知の締結手段に置き換えてもよいことは、言うまでもない。
【０１０３】
上記実施形態において、別々の部材とした部分について、一体化可能な部材については、適宜、一体化して構成されていてもよい。
【０１０４】
フランジ部３ｃは、円形状である場合に限られない。フランジ部３ｃは、四角形やその他の多角形、又は、適宜角取りされた多角形など、どのような形状でもよい。フランジ部３ｃに、適切な位置に穴が設けられていればよい。
【０１０５】
上記実施形態では、ピン８によって、回動支持部５と支柱部２とを回動可能に支持することとしているが、支持構造はピン８だけに限られるものではなく、回動可能に支持することが可能な周知のあらゆる構造を採用することができる。たとえば、単純な変形としては、支柱部２の下端を一枚の板とし、回動支持部５側を二枚の板として、支柱部２の下端を挟み込んで、回動可能としてもよい。また、回動方向を自由に調整できるようにしたければ、たとえば、支柱部２と回動支持部５とを自在継手構造で連結してもよい。
【０１０６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【０１０７】
本発明は、構造物の基礎及び構造物の施工方法であり、産業上利用可能である。
【符号の説明】
【０１０８】
１，１０  基礎
２  支柱部
２ａ  構造物固定部
２ｂ  回動部
３  杭
３ａ  螺旋部
３ｂ  胴部
３ｃ  フランジ部
３ｄ  穴（第１の穴）
４  杭連結部
４ａ  穴（第２の穴）
４ｂ  穴（第３の穴）
５  回動支持部
５ａ  支持板
５ｂ  板状部材
５ｃ  穴（第４の穴）
５ｄ  穴
６  リブ部
６ａ  板状部
６ｂ  支持部
６ｃ  穴
６ｄ  フランジ部
６ｅ  湾曲部材
７  連結部
７ａ  円弧状部材
７ｂ  板状部
８  ピン
９  構造物
【図１】
2020026721.tif 000003
【図２】
2020026721.tif 000004
【図３】
2020026721.tif 000005
【図４】
2020026721.tif 000006
【図５】
2020026721.tif 000007
【図６】
2020026721.tif 000008
【図７】
2020026721.tif 000009
【図８】
2020026721.tif 000010
【図９】
2020026721.tif 000011
【図１０】
2020026721.tif 000012
【図１１】
2020026721.tif 000013
【図１２】
2020026721.tif 000014
【図１３】
2020026721.tif 000015
【図１４】
2020026721.tif 000016
【図１５】
2020026721.tif 000017
【図１６】
2020026721.tif 000018
【図１７】
2020026721.tif 000019
【図１８】
2020026721.tif 000020
【図１９】
2020026721.tif 000021
【図２０】
2020026721.tif 000022
【図２１】
2020026721.tif 000023
【図２２】
2020026721.tif 000024
【図２３】
2020026721.tif 000025
【図２４】
2020026721.tif 000026